(57)【特許請求の範囲】
【請求項１】
床に予め所定の間隔をおいて多数の接続口が形成された、無柱・無壁の大きなフリースペースとされた病棟における病室を区画する病室区画システムにおいて、
前記病室区画システムは、回転可能に定置されたパーソナルユニットを備え、
前記パーソナルユニットは、その周囲の一部が開閉自在に開放されるとともにその上部位置に全周に亘って内向きに傾斜した上部傾斜板を備えたパーティションと、医療ガス供給器、吸引具を有するメディカルユニットと、照明具、下方から吸い込み上方から吹き出すパーソナル空調ユニットを備えたアメニティユニットとから構成され、
前記パーティションの上部傾斜板は、前記パーソナル空調ユニットから水平方向に吹出される空気流を下向きのエアカーテン流に変え、前記パーソナルユニット内で発生する音声の外部への漏洩を減少・抑制することを特徴とする病室区画システム。
【請求項２】
前記パーティション、前記メディカルユニット及び前記アメニティユニットは、相互に独立した別体のものであることを特徴とする請求項１に記載された病室区画システム。
【請求項３】
前記各パーソナルユニットの前記メディカルユニット及び前記アメニティユニット内の各器具と床下に敷設された各配管・配線とを接続する接続手段の各々が、前記床に形成され、前記床下各配管・配線が集約された１つの接続口に接続されるとともに、前記パーティションは、前記接続口を略軸心として回転可能とされていることを特徴とする請求項１乃至請求項２のいずれかに記載された病室区画システム。
【請求項４】
前記接続手段は、ベッドの足元が病棟外方を向いて外部の眺望を望める療養環境重視タイプの定置位置と、ベッドの足元が病棟内方を向いてサービスステーションからの見通しのよいケア重視タイプの定置位置との間で回転による位置変更がされたとき、同一の前記接続口に結合可能なフレキシブルなものであることを特徴とする請求項３に記載された病室区画システム。
【請求項５】
前記パーソナル空調ユニットは、脱臭装置と、給気量変更自在の給気ファンと、吹出し空気量と排気空気量の割合を変更する排気度切替え機構とを具備していることを特徴とする請求項１乃至請求項４のいずれかに記載されたに記載された病室区画システム。
【請求項６】
前記パーソナル空調ユニットは、ドレンの無い冷温水ドライコイルを備えることを特徴とする請求項１乃至請求項５のいずれかに記載された病室区画システム。
【発明の詳細な説明】
【技術分野】
【０００１】
この発明は、病棟内病室に関し、特に入院期間を短縮した急性期病院に適合した病棟内病室区画システムに関する。
【背景技術】
【０００２】
従来、施工期間を短縮すると共に低コストで病室、特に個室を構築することを目的として、病室を構成すべき内装、設備等をあらかじめ定めてユニット化しておき、このユニットを病棟の所望階に必要数だけ配置することにより、病室を病棟に形成する病室構築方法が提案されている。
この方法によれば、セットを必要数だけ病棟の所望階に移動させた後に組み立てるだけで、あるいは、少なくとも天井と壁と床と窓とドアとをあらかじめ組み込んで箱形ユニットを形成しておけば、後は、この箱形ユニットを必要数だけ病棟の所望階に移動させるだけで床数が固定された病室を作ることができる。
【特許文献１】特開平０７−００４０８３号公報
【０００３】
上記の病室が１床室または多床室とその病床形態が固定的なことから、レイアウト可変型の病室を提供することを目的として、病室の天井の所要部位に軌道を配設し、該軌道には走行部材を走行可能に設け、天井から床まで延びる複数の家具ユニットを前記走行部材から懸吊し、前記各家具ユニットを軌道に沿って所要部位に移動してこれを間仕切壁と為すことにより、前記病室の間取りを４床室から２床室に、あるいはその逆に変更可能としたレイアウト可変型の病室が提案されている。
【特許文献２】特開２００１−３４９０７４号公報
【０００４】
また、通常の多床室の廊下側のベッドが採光、眺望の面で難があるのを避けるために、多床室の各ベッドに窓を配設した病室が提案されている。
【特許文献３】特開平０６−３２３０１７号公報
【特許文献４】特開平１０−１６９２２１号公報
【特許文献５】特開２００２−１３８６９７号公報
【０００５】
他方、建物躯体構造の面からは、構造躯体内の改修が容易で、長寿命を実現し、快適な居住空間の提供に対応できるユニバーサルデザインを適用したバリアフリー建築物を提供することを目的として、構造躯体が架構形態の異なる構造体を層状に複数積み重ねて構成され、構造躯体と内装設備を分離して計画し、構築するバリアフリー建築物において、前記構造躯体のうち、最上層に設けられる上部構造体が、柱とウェブに複数の開口部を有する大梁を剛接合してなる大スパンの単純なラーメン構造を並列に複数配置された層を多層に設けた構造を有しており、隣り合う前記ラーメン構造どうしを連結する連結梁が１スパンおきに間欠的に配置されるとともに、各階の床を構成する無梁版が前記大梁及び連結梁に直接架設されて無柱空間を構成し、空調機械室が前記上部構造体の四隅に配置されるとともに、前記上部構造体の外周部にはバルコニーが形成され、バルコニーの床には、設備配管類が敷設されているバリアフリー建築物が提案されている。
【特許文献６】特開２００３−１１９８８６号公報
【発明の開示】
【発明が解決しようとする課題】
【０００６】
ところで、最近の厚生労働行政は、膨張し続ける医療費を抑制するため、在院日数を半分にあるいはそれ以下に縮減させるとともに、一般及び療養病床を大幅に削減し、本来病院がもつ治療機能に誘導しようとしている。
【０００７】
病院において上記の行政の意向に沿って、在院日数と病床数を半減して急性期治療体制に移行しようとする場合、重篤な入院患者の比率が増大することから、看護密度を引上げる必要に迫られるため、職員で充実した看護が行える環境を整備する必要がある。
【０００８】
一方、病院間競争に勝つためには、入院患者に対するサービスを充実するため、医師の質と量を向上して先端医療の導入に努め、患者や家族のアメニティの向上を図るとともに、患者ひとりひとりの看護を充実させるシングルケアの充実を図ることが求められる。
【０００９】
このような時代の趨勢に応えるべく、病院内の病室全てを上記特許文献１に記載された単独床室とすると、看護職の労働密度が従来の多床室中心のときに比べて極めて高くなる。
また、上記特許文献２〜５に記載された多床室は、病棟のあらゆる位置に柱や構造壁が存在することから、マクロ的にみたレイアウト変更が不可能で、ベッド数の増減に柔軟に対応することができない。
さらに、図１４に示される上記特許文献６に記載されたバリアフリー建築物の病室は、図１３の（ａ）の超長期療養タイプから同図（ｂ）の緊急医療と療養の混合タイプに変更しようとすると、長手方向センター位置の吹抜け５１の位置を移動し、窓際の吹抜け５１を塞いで床スラブを造る大掛かりな工事を必要とし、入院患者を療養しつつ短時間にローコストで医療タイプを変更することは容易でない。
さらにまた、単位面積当たりの患者収容数も少なく、医療コストのアップ要因となる。
【００１０】
本発明は、上記の状況に鑑み、病床規模の縮減、入院日数の短期化、看護単位の小規模化、看護重視型の医療システムの構築等の医療を取り巻く多様な変化に柔軟に対応することができる、フレキシブルな病室区画システムを備えた急性期病院における次世代型病棟の病室区画システムを提供することを目的としている。
また本発明は、患者のプライバシーが尊重される快適なパーソナル空間と、患者一人ひとりにきめ細かい看護が行き届く看護空間とを両立させた急性期病院における次世代型病棟の病室区画システムを提供することを目的としている。
【課題を解決するための手段】
【００１１】
請求項１に係る発明は、床に予め所定の間隔をおいて多数の接続口が形成された、無柱・無壁の大きなフリースペースとされた病棟における病室を区画する病室区画システムは、回転可能に定置されたパーソナルユニットを備え、前記パーソナルユニットは、その周囲の一部が開閉自在に開放されるとともにその上部位置に全周に亘って内向きに傾斜した上部傾斜板を備えたパーティションと、医療ガス供給器、吸引具を有するメディカルユニットと、照明具、下方から吸い込み上方から吹き出すパーソナル空調ユニットを備えたアメニティユニットとから構成され、前記パーティションの上部傾斜板は、前記パーソナル空調ユニットから水平方向に吹出される空気流を下向きのエアカーテン流に変え、前記パーソナルユニット内で発生する音声の外部への漏洩を減少・抑制する。
【００１２】
請求項２に係る発明のパーティション、メディカルユニット及びアメニティユニットは、相互に独立した別体のものとされている。
【００１３】
請求項３に係る発明は、各パーソナルユニットのメディカルユニット及びアメニティユニット内の各器具と床下に敷設された各配管・配線とを接続する接続手段の各々が、床に形成され、床下各配管・配線が集約された１つの接続口に接続されるとともに、パーティションは、接続口を略軸心として回転可能とされている。
請求項４に係る発明の接続手段は、ベッドの足元が病棟外方を向いて外部の眺望を望める療養環境重視タイプの定置位置と、ベッドの足元が病棟内方を向いてサービスステーションからの見通しのよいケア重視タイプの定置位置との間で回転による位置変更がされたとき、同一の前記接続口に結合可能なフレキシブルなものとされている。
【００１４】
請求項５に係る発明のパーソナル空調手段は、脱臭装置と、給気量変更自在の給気ファンと、吹出し空気量と排気空気量の割合を変更する排気度切替え機構とを具備している。
【００１５】
請求項６に係る発明のパーソナル空調手段は、ドレンの無い冷温水ドライコイルを備えている。
【発明の効果】
【００１６】
請求項１に係る発明によれば、床に予め所定の間隔をおいて多数の接続口が形成された、無柱・無壁の大きなフリースペースとされた病棟における病室を区画する病室区画システムは、回転可能に定置されたパーソナルユニットを備えているので、自由な病棟プランが可能であり、構造体をいじることなく病室区画システム構成をフレキシブルに変更することが可能である。このため、病床規模の縮減、入院日数の短期化、看護単位の小規模化、看護重視型の医療システムの構築等の医療を取り巻く多様な変化に柔軟に対応することができる、
また、ベッド減により発生する余剰スペースを有効に活用することができる。
単純な場所換えはベッドとストックユニットの移動で対応すればよく、 パーティションの底部には、ストッパー付キャスターを設けることで移動性を高めることができる。
さらに、パーソナルユニットは、その周囲の一部が開閉自在に開放されるとともにその上部位置に全周に亘って内向きに傾斜した上部傾斜板を備えたパーティションと、医療ガス供給器、吸引具を有するメディカルユニットと、照明具、下方から吸い込み上方から吹き出すパーソナル空調ユニットを備えたアメニティユニットとから構成され、前記パーティションの上部傾斜板は、前記パーソナル空調ユニットから水平方向に吹出される空気流を下向きのエアカーテン流に変えることができ、また、各パーソナルユニット内で発生する音声の伝播を効果的に抑制することができる。
請求項２に係る発明によれば、パーティション、メディカルユニット及びアメニティユニットは、相互に独立した別体のものとして可搬性に配慮するとともに、定置されるとき各ユニットはパーティションと一体化するか、又はそれらは全部相互に一体化すれば、地震時に転倒・移動することを防止でき、安全である。
【００１７】
請求項３に係る発明によれば、各パーソナルユニットのメディカルユニット及びアメニティユニット内の各器具と床下に敷設された各配管・配線とを接続する接続手段の各々が、床に形成され、床下各配管・配線が集約された１つの接続口に接続されるとともに、パーティションは、接続口を略軸心として回転可能とされているから、パーティションによって位置決めされることとなるメディカルユニットとアメニティユニットがどこに配置されることとなったとしても、接続手段同士が絡まることなく整然と配管できる。
請求項４に係る発明によれば、接続手段は、ベッドの足元が病棟外方を向いて外部の眺望を望める療養環境重視タイプの定置位置と、ベッドの足元が病棟内方を向いてサービスステーションからの見通しのよいケア重視タイプの定置位置との間で回転による位置変更がされたとき、同一の接続口に結合可能なフレキシブルなものとしたので、簡便に位置変更することができる。
【００１８】
請求項５に係る発明によれば、パーソナル空調手段は、脱臭装置と、給気量変更自在の給気ファンと、吹出し空気量と排気空気量の割合を変更する排気度切替え機構とを備えているから、パーソナルユニット内のアメニテイを向上することができる。
【００１９】
請求項６に係る発明によれば、パーソナル空調ユニットは、ドレンの無い冷温水ドライコイルを備えているから、ドレンが排出されないからパーソナルユニットを移動するに際し床に水を垂らすことが無い。また、パーソナル空調ユニットのメンテナンスが容易である。
【発明を実施するための最良の形態】
【００２０】
病院建物を無柱・無壁の大きなフリースペースとされた病棟とし、病室の数とレイアウトを自由に決定可能に、病棟の床に予め所定の間隔をおいて多数の配管・配線のための接続口を形成しておき、その接続口を中心として回転可能に定置されたパーソナルユニットを備え、このパーソナルユニットは、その周囲の一部が開放されたパーティションと、医療ガス供給器、吸引具を有するメディカルユニットと、パーソナル空調ユニットと照明具を備えたアメニティユニットとから構成されている。
【実施例】
【００２１】
本発明の実施例について図１乃至図１３を参照して説明する。
図１は、本発明に係る病棟３における病室区画システムＳの一実施例を示す平面図であり、図２は、図１の病棟躯体構造を一部破断して示す一部破断斜視図である。
図３は、図１の病棟躯体構造を模式的に示す平面図である。
図４は、図２の病棟躯体構造の長軸方向断面図であり、図５は、図２の病棟躯体構造の短軸方向断面図であり、図６は、小梁方向の側面図と小梁と直交する断面図である。
図７は、本発明に係るパーソナルユニットの拡大斜視図であり、図８は、図６のパーソナルユニットの平面図である。
図９は、本発明に係る空調ユニットの作用を模式的に示す作用摸式図であり、図１０は、空調ユニットの模式的構成図であり、また、図１１は、床に形成された接続口の断面図である。
図１２は、病床数４５床と３０床について、ケア重視あるいは療養環境重視した場合の病棟における病室区画システムの構成例を示す平面図であり、図１３は、平常時から緊急時に移行する場合の病棟における病室区画システムの構成例を示す平面図である。
図１４は、従来例の病棟における病室を示す平面図である。
【００２２】
以下、図１を参照して本発明の病棟における病室区画システムＳの構成例について説明する。
１は病院建物全体を示し、２はエレベーター、階段、談話室、事務室、風呂等を備えたユーティリティエリア棟、３は病棟、４は両棟を連絡する連絡通路である。
病棟３は、無柱、無壁の大きなフリースペースに所定数の病室区画システムＳを配置することにより、入院患者の個人的な空間を作り出している。
本実施例では、病棟１フロア全体でベッド数９０床を確保し、看護士の常駐するサービスステーションは病棟の略中央部に配置している。
病室区画システムＳは、図１左側では６角形の略半分を開放したパーティション２１で区画するタイプ、図１の右側では長方形の略半分を開放したＬ字形のパーティション２１で区画するタイプを例示している。病室区画システムＳの詳細な構成については後述する。
この病棟３は上述したように大スパンの無柱、無壁の建築物を前提としているので、先ずその構造の概略について図２〜３を用いて説明する。
なお、この建物の構造については、本件出願人が特願２００８−０５０５１９として同日に出願している。
【００２３】
この実施例の病院建物１は、２つの独立した躯体架構６、６を繋いだ構造である。この躯体架構６は、柱７と大梁８と小梁９とから構成されている。
柱７は、躯体架構６の平面形状を規定する、図３の太線で示す輪郭線上にのみ複数本立設され、複数階層に亘って上下方向に延びている。
そして、大梁８は上記郭線上にのみ配設されて上記柱７に階層毎に剛接合されている。
【００２４】
この躯体架構６は、その平面形状が矩形とされており、小間隔で対向する大梁間にプレキャストプレストレストコンクリート（ＰＣａＰＣ）製の小梁９が小間隔で掛渡されて大梁８に接合されている。  この病院建物１の２つの躯体架構６が並列して設けられた実施例では、図２に示すように両架構６、６を大梁８で連結してもよい。
病棟３は、上記の躯体架構６から構成されているので、無柱のプランニングフリーの、例えば、１つの躯体架構６で３６ｍ×２７ｍ、２つの躯体架構６を連結して８４ｍ×２７ｍの大きなフリースペースを実現している。
このように、本実施例においては、隣り合う２つの躯体架構６自体の内部とそれらの間には、階段室、機械室、パイプシャフト・ダクトスペース（ＰＳ・ＤＳ）等を備えたユーティリティ設備を設けず、これら設備は、ユーティリティエリア棟２と各躯体架構６、６の４隅の外側に設けて、病棟３内を広いフリースペースとしている。
また、柱7’、大梁8’からなる付加的な架構6’を築いて耐震機能をもたせることもできる。
上述したように、小梁９はプレキャストプレストレストコンクリート造としているが、ＲＣ造、ＳＲＣ造、Ｓ造であってもよい。また、柱７と大梁８はＲＣ造、ＳＲＣ造、Ｓ造のいずれであってもよい。
【００２５】
上記実施例においては、病棟３は躯体架構６が２つ連結した構造とされ、これとは別棟のユーティリティエリア棟２が建てられているが、１つの病棟３に対して１つのユーティリティエリア棟２を設けた形態、あるいは、１つのユーティリティエリア棟２に４つの病棟３を連結した形態のように、土地の広さやその形状にしたがって、上記独立した１つの躯体架構６を一単位として、何単位連結するかは自由に設計可能である。
【００２６】
病院建物１は上述の躯体架構６にて構造的に壁を要することなく構築されているので、建物の周囲や内部に構造壁を設ける必要がない。
このため、外壁に透明性のあるウォールカーテンを用いると、柱以外概観を妨げるものがない。  そして、連絡通路４の間口は、ユーティリティエリア棟２の間口に比べて小さく設定されているから、ユーティリティエリア棟２を病棟３に直接隣接させた構造に比べ、病棟３の窓部面積を増大し、自然採光を確保し視界を良好に保つことができる。
【００２７】
次いで、図４〜５を参照して、小梁と床スラブの構造及び各種配管と配線の構成について説明する。
床スラブ１０は大梁８と小梁９の脇腹に剛接合されている。  小梁９は、その上端に全長に亘る上フランジを備えるとともに、その両端部下端にのみ下フランジを備えている。
小梁９は、材軸方向中央部をプレキャストプレストレストコンクリート梁９１とし、両端部をプレキャスト若しくは現場打設の鉄筋コンクリート梁９２としている。小梁９の長さが一定より長いと運搬上の都合より、梁を材軸方向において分割する必要があり、この場合、曲げモーメントの大きい中央部をプレキャストプレストレストコンクリート梁としている。中央部は緊張材９５を緊張してプレストレスが導入できるので、通常の断面である上フランジ９３を備えたＴ型の梁９Ａとし、両端部は鉄筋コンクリート梁９２であるので、下端に多くの引張鉄筋９６が必要なことから、断面間性能を向上させるために上フランジ９３及び下フランジ９４を備えたＩ型の梁９Ｂとしている。
この形状であれば、小梁両端部において床スラブ１０を小梁脇腹に容易に接合可能である。
【００２８】
小梁９の上端面には、床１８が載置して張設されており、また、小梁９の下方には間隔を設けて天井１９が吊設されている。こうすることにより、床スラブ１０を挟んで天井内空間１１と床下内空間１２が形成されている。
【００２９】
一方、柱７の内側には、内部に縦配管１５を収容する縦配管用シャフト１３が付設されている。横引き配管１６は、この縦配管用シャフト１３内の縦配管１５と結合され、床下内空間１２においては小梁９に沿う方向にのみ配設され、小梁９と直交する方向には一切配管されていない。このため、小梁９のウェブに配管用の孔を設ける必要がないので、従来のものに比べ小梁９の断面形状を小さく設定することが可能となっている。
【００３０】
小梁９の配設間隔を小さくする等、何らかの事情で隣り合う小梁９の間に縦配管用シャフト１３を付設できないときは、当該空間の床下内空間１２に配設された横引き配管１６は、階下の天井内空間１１において一端が縦配管１５に接続され、他端が床スラブ１０を上下に貫通する分配管１７に結合することにより、配管可能としている（図４参照）。
なお、図示を省略しているが、分配管１７を縦配管１５から床上を通して配管して横引き配管１６に接続してもよい。この場合は、分配管１７は覆いケーシングにて被覆される。
【００３１】
主として図４を参照して配管とダクトの構成について説明する。
新鮮空気は、各躯体架構６の４隅部の外側に設置された８つの各階機械室にて熱交換して外気処理され、天井内空間１１内の空調用ダクト１４を通じて供給される。
各フロアーからの排気は、天井空間内に設置された排気ファンを内蔵する排気ダクトを経由して建物外へ排出される（図１、図６参照）。
なお、排煙については、最上階または各階に設置された機械室を経由して排気される。
各階天井内空間１１に敷設されるスプリンクラー用配管、火災報知器用配線、照明用電線等については、図２左右下のＰＳ・ＤＳ内を縦方向に伸びている。
一方、ユーティリティエリア棟２と躯体架構６、６間の外側に配置されたＰＳ・ＤＳは、床下内空間１２に敷設される冷水管、温水管、給水管、給湯管については、一旦屋上に導いて屋上で横引して上記縦配管用シャフト１３を通じて各階に導いている。一方、100V等強電電源用電線、LAN・インターネット、放送用線やナースコール用配線等の情報系ケーブルについては、縦配管用シャフト１３を通じて各階に導いている。
そして、これらの各種管及び各種線は、縦配管用シャフト１３を介して上下から各階に配給され、床下内空間１２内で各階横引き配管１６に接続される等して、上記小梁９に沿って水平方向に導いている。
もちろん、各階汚水・雑排水用横引き排水管は、縦配管用シャフト１３内の縦配管１５に接続される。
また、建物の用途による特殊の配管、例えば病棟用の医療ガスや研究設備用のクリーンエア等の特殊な配管等は、建築時又は用途変更時において敷設することとしている。
【００３２】
上述したように、大きなフリースペース内で個人的な空間を確保するため、図１の左側の躯体架構６によって構築された病棟３では、６角形を基本形としてその半分程度が開放され開閉自在のパーティション２３とされたパーソナルユニット２０が４５床配置された事例が示され（図７参照。）、また、同図の右側の病棟では、４角形を基本形としてとしてその半分程度が開放されたパーソナルユニット２０が４５床配置された事例が示されている。
パーソナルユニット２０の形状は、４角形や６角形を基本形としたものに限らず、要は回転可能なものであればどのような形状であってもよい。
【００３３】
本実施例においては、看護士が常駐するサービスステーションは、２つの躯体架構６、６間にレイアウトし、また、各躯体架構６における洗面ＷＣエリアは中央部に４箇所確保している。
【００３４】
これらのパーソナルユニット２０は、その高さが２ｍ前後に設定されており、隣り合う患者同士はベッドに寝た姿勢あるいは座った姿勢では目線が合わないようにして個室に準ずる環境を確保している。
また、これらのパーソナルユニット２０は、その中心部近傍にてフレキシブル管を介して床面に形成された接続部のカップリングに接続することにより、パーソナルユニット２０を回転自在として、重症患者をサービスステーション近傍に配し、常時監視を行ったり、重篤期を越えた患者は窓を通じて風景を目視できる向きに変更することが可能である。
【００３５】
パーソナルユニット２０のベッド２９の枕元には、衣類、洗面用具、書籍、雑誌、金庫等を収納するストックユニット２７と、医療ガス供給器、吸引具、ナースコール、処置灯、コンセント等を内蔵するメディカルユニット２４と、照明、パーソナル空調・脱臭器、テレビ受像機、インターネット接続機能を備えたアメニティユニット２５とを配設してある。これらに対する供給設備については後述する。
これら各ユニットは、容易に接合分解することが可能で、後述する移動に際しての作業負担を軽減している。なお、各ユニットは相互に一体化、さらにはパーソナルユニット２０と一体化してもよいこと勿論である。
これらは、定置されるとき各ユニットはパーティション２１と一体化するか、あるいはそれら全部を全体的に一体化してもよいものである。このようにすると、地震時における転倒や予期せぬ移動を防止できて安全である。
なお、パーティション２１の固定部２２、各ユニット２４、２５、２７の底面には、移動に便利なようにストッパー付きキャスターが取り付けられている。パーソナルユニット２０を定置するときは、少なくともストッパーにより位置決めする。また、パーティション２１の固定部２２には、出没自在のキャスターを設けてもよい。
【００３６】
図８に示されるように、パーティション２１は本実施例においては、６角形の対向する２辺の略中央部にて２分割し、一方を固定部２２、他方を開放可能な可動部２３としている。図示するように可動部２３は折畳み収納するタイプとしてもよいが、単に観音開きとするタイプとしてもよい。この可動部２３は昼間は開放し夜間は閉鎖する運用が考えられる。
音環境の観点から、パーティション２１は従来周知の吸音材から構成されている。
また、その上部位置に全周に亘って内向きに傾斜した透明材料からなる上部傾斜板を備えている（図示省略）。
このため図９に示すように、後述するパーソナル空調機２６から水平方向に吹出される空気流を下向きのエアカーテン流に変え、ベッド２９下方を通ってパーソナル空調機２６に戻る。パーティション２１の可動部２３を閉鎖したときは、パーソナルユニット２０内で発生する音声は、上部傾斜板により外部への漏洩が減少・抑制される。
病室においてはしばしば、レントゲン写真の撮影が行われる。この放射線防御の対策としては、本実施例においては、例えば階毎のサービスステーションに天井付の、例えば鉛板入りパーティションにて形成されたレントゲン室を設けている。その床には別途鉛板を貼っている。撮影に際しては、機材とベッドが運び込まれる。
【００３７】
ベッド２９の枕元には、メディカルユニット２４、アメニティユニット２５及びストックユニット２７が配置されているが、パーソナルユニット２０全体を所定角度回転するに際しては、これら各ユニットとベッドをパーソナルユニット２０外部に持ち出すか、あるいはパーソナルユニット２０の回転の妨げにならないユニット内の位置に移動する。そして、病院内スタッフがキャスターのストッパーを外して作業する。このようにすれば、パーソナルユニット２０全体が、図１の足元がサービスステーションを向いた姿勢から、窓側を向いた姿勢に簡単に向き変更をすることが可能である。
【００３８】
なお、この向き変更は、患者の容態が重篤な状態から回復に向かったとき行い、回復期における患者のプライバシーを尊重し、アメニティの向上に資するものである。このようにして、病院サイドは患者の容態の進展に合わせて重篤な患者には看護を濃密に、逆に回復している患者に対してはより個人のプライバシーを尊重した看護体制を敷くことができる。
また、病院においては入院・退院が循環するものであるので、患者の退院が近付くに連れサービスステーションから離れた位置に場所換えするに際しては、ベッド２９とストックユニット２７のみを新しいパーソナルユニット２０内に移動するようにすればよい。
そして、図１２の（ａ）と（ｂ）に示されるように、１フロア当りのベッド数を増減する場合は、パーソナルユニット２０を撤去し、あるいは新規に導入する必要がある。
図１３は、逆に平常時から緊急時に移行する場合には、図１３に示すように、病棟におけるパーソナルユニット２０を増設する。
このように、本発明は自由な病棟プランが可能であり、構造体をいじることなく病室区画システム構成をフレキシブルに変更可能であるので、ベッド減により発生する余剰スペースを有効活用可能であり、また、災害時等の緊急時には増床可能である。
【００３９】
病棟１の天井内空間１１には上述したように、病棟１全体を空調するための空調ダクト１４が配設されているが、本実施例においては、個室空間を区画形成するパーソナルユニット２０内の温度を個人的に微妙に調整可能とするため、パーソナル空調ユニット２６を設けている。
このパーソナル空調ユニット２６は、レタンチャンバー３０、冷水/温水ドライコイル３１、ファン３２、脱臭フィルター３３、中性能フィルター３４、サプライチャンバー３５とから構成され、アメニティユニット２５内に収納されている。なお、日常のメンテナンスはアメニティユニット２５に形成された着脱自在のメンテナンスパネルを通じて行う。
【００４０】
パーソナル空調ユニット２６は以上の構成からなり、下方から吸い込み上方から吹出すようにしてあるので、病棟全体の大きなフリースペースでの統一的な空調条件に適合できないとき、個人的な温度条件を各自の希望に応じて簡単に設定することができる。さらに、パーソナル空調ユニット２６は、脱臭手段として、脱臭フィルター３３と中性能フィルター３４と、給気量変更自在の給気ファン３２と、吹出し空気量と排気空気量の割合を変更するため、上端を枢着されたダンパーからなる排気度切替え機構とを具備している。このため、給気ファン３２の通常運転にて埃、雑菌等を除去して、ベッド下をいつも清潔に保ち、また、排便等の処置時にはダンパーを循環側を閉じて排気ダクト側に全開してファン３２の給気量を増すことにより臭気をパーソナルユニット２０内から強制的に排気ダクトに導く。
【００４１】
また、パーソナル空調ユニット２６は、ドレンの無い冷温水ドライコイルを備えているので、パーソナルユニットを移動するに際し床に水を垂らすことが無く、また、メンテナンスが容易である。
【００４２】
メディカルユニット２４及びアメニティユニット２５に対しては、医療ガス、痰を吸い取るための吸引、冷暖房用の冷温水を供給し、放送・通信、病棟３内ＬＡＮ、各種電源用ケーブルを接続する必要がある。 
一方、病棟３には壁が存在しないばかりでなく、パーソナルユニット２０自体を回転させることが求められる。
したがって本実施例においては、この供給を略パーソナルユニット２０の略中心に位置する床下の配管から行うこととしている。
【００４３】
図１１を参照して床に形成された配管接続口３７について説明する。 
１０は床スラブ、１８は小梁９の上に張られた床、１２は床下内空間である。本実施例では小梁９は芯間隔３０００ｍｍとしているので、床１８を構成するフリーアクセスは１０００ｍｍ角の正方形とし、接続口３７を備えたアクセスフリー１８ａと、それを備えないもの１８とが用意されている。
横引き配管１６の所定位置には、上述の各ユニットに接続するための接続口３７を設けるため、接続口３７を有するアクセスフリー１８ａを用いる。
このアクセスフリー１８ａを支持するため、小梁９の切欠きに嵌合された支持材３８を小梁９長手方向に１０００ｍｍ間隔で設けている。
【００４４】
アクセスフリー１８ａは、カップリングやフレキシブル管を収納するための凹陥部１８ｂが形成されており、床上フレキシブル接続管１６ａの回転を円滑にするための円形の蓋体１８ｃにて覆われている。この蓋体１８ｃにはフレキシブル管１６ａを貫通するための貫通孔１８ｄが穿設されている。
接続口３７はパーソナルユニット２０のほぼ中心に配置されるとともに、各ユニットの接続具と接続口３７のカップリングとはフレキシブル管１６ａにて結合されるから、パーソナルユニット２０を回転したとき、接続手段としてのフレキシブル管１６ａが破損するようなことはない。
【００４５】
このように、パーソナルユニット２０のメディカルユニット２４及びアメニティユニット２５内の各器具と床下に敷設された各配管・配線１６とを接続する接続手段の各々が、壁や天井ではなく床に形成され、これらの床下各配管・配線１６が集約された１つの接続口３７に接続されるとともに、パーティション２１は、接続口３７を略軸心として回転可能とされていることから、仮令メディカルユニット２４とアメニティユニット２５がパーティション２１と一体化された状態であっても、パーティション２１を円滑に回転移動することが可能である。
【００４６】
上述したパーソナルユニット２０は、その中心を軸として回転移動できるのみならず、ユニット全体を別の場所に移動可能でもある。
このことにより、病院全体の病床数が削減されるときには、不要となったユニットを病棟から撤去して、患者ひとりあたりの面積を増加させたり、サービスステーション充実にあてたりすることができる。
このような場合、病室区画システムＳ構成そのものが大々的に変更され、パーソナルユニット２０の中心位置と接続口３７の位置が相当ずれることが生じ得るが、本システムＳにおいては、接続口３７を備えたフリーアクセス１８ａをパーソナルユニット２０の中心に最も近い位置に嵌めなおす作業のみで柔軟に対応することが可能である。
【００４７】
以上の構成の病院建物１は、床上において水や血液等の液体がこぼれ、床から漏水して床スラブ１０上に浸水する可能性がある。
このため、本実施例においては、床スラブ上面全面に、あるいは、床スラブ上面の分配管が貫通する貫通孔周辺に、堤防にて囲繞された流下液溜を形成して、流下した液体が階下に流亡することを防止している。
【図面の簡単な説明】
【００４８】
【図１】本発明に係る病棟における病室区画システムの一実施例を示す平面図である。
【図２】図１の病棟躯体構造を一部破断して示す破談斜視図である。
【図３】図１の病棟躯体構造を模式的に示す平面図である。
【図４】図２の病棟躯体構造の長軸方向断面図である。
【図５】図２の病棟躯体構造の短軸方向断面図である。
【図６】小梁方向の側面図と小梁と直交する断面図である。
【図７】本発明に係るパーソナルユニットの拡大斜視図である。
【図８】図６のパーソナルユニットの平面図である。
【図９】本発明に係る空調ユニットの作用を模式的に示す作用摸式図である。
【図１０】本発明に係る空調ユニットの模式的構成図である。
【図１１】床に形成された配管接続口の側面図である。
【図１２】病室区画システム数４５床と３０床について、ケア重視あるいは療養環境重視した場合の病棟における病室区画システムの構成例を示す平面図である。
【図１３】平常時から緊急時に移行する場合の病棟における病室区画システムの構成例を示す平面図である。
【図１４】従来例の病棟における病室を示す平面図である。
【符号の説明】
【００４９】
１  病院建物
２  ユーティリティエリア棟
３  病棟
４  連絡通路
５  ユーティリティスペース
６  躯体架構
７  柱
８  大梁
９  小梁
１０  床スラブ
１１  天井内空間
１２  床下内空間
１３  縦配管用シャフト
１４  空調ダクト
１５  縦配管
１６  横引き配管
１７  分配管
１８  床
１９  天井
Ｓ    病室区画システム
２０  パーソナルユニット
２１  パーティション
２２  固定部
２３  可動部
２４  メディカルユニット
２５  アメニティユニット
２６  パーソナル空調ユニット
２７  ストックユニット
２８  アメニティセード
２９  ベッド
３０  レタンチヤンバー
３１  冷水/温水コイル
３２  ファン
３３  脱臭フィルター
３４  中性能フィルター
３５  サプライチャンバー
３６  ドライコイル用配管ユニット 
３７  接続口
３８  支持材
【図１】
0004996506.tif 000002
【図２】
0004996506.tif 000003
【図３】
0004996506.tif 000004
【図４】
0004996506.tif 000005
【図５】
0004996506.tif 000006
【図６】
0004996506.tif 000007
【図７】
0004996506.tif 000008
【図８】
0004996506.tif 000009
【図９】
0004996506.tif 000010
【図１０】
0004996506.tif 000011
【図１１】
0004996506.tif 000012
【図１２】
0004996506.tif 000013
【図１３】
0004996506.tif 000014
【図１４】
0004996506.tif 000015